【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
複数の画像のうち、タッチパネルを介してユーザによって接触されている最中の単一の画像である指定画像が表示されている表示位置に、少なくとも前記複数の画像のうちの一つであって、ユーザによって接触されている最中ではない画像である他の画像を移動させ、前記指定画像と前記他の画像とを重ねた画像束を表示する表示制御手段
を備えた表示制御装置。
【請求項２】
複数の画像のうち、タッチパネルを介してユーザによって接触されている最中の単一の画像である指定画像が表示されている表示位置に、少なくとも前記複数の画像のうちの一つであって、ユーザによって接触されている最中ではない画像である他の画像が近づき、前記指定画像と前記他の画像とを重ねた画像束を表示する表示制御手段
を備えた表示制御装置。
【請求項３】
前記表示制御手段は、前記指定画像が表示されている表示位置に、前記他の画像を集約させ、前記指定画像と前記他の画像とを重ねた画像束を表示する
請求項１又は２記載の表示制御装置。
【請求項４】
前記表示制御手段は、タッチパネルを介してユーザによって接触されている位置を示す指定位置に基づいて、前記指定画像を移動させると共に、前記指定画像が表示されている表示位置に前記他の画像を移動させ、前記画像束を表示する
請求項１乃至３の何れか１項記載の表示制御装置。
【請求項５】
前記他の画像は、予め定めたユーザ操作が行われた画像である
請求項１乃至４の何れか１項記載の表示制御装置。
【請求項６】
前記表示制御手段は、前記指定画像と前記他の画像に対して、予め定められたユーザ操作が行われた場合に、前記画像束を表示する
請求項１〜５の何れか１項記載の表示制御装置。
【請求項７】
前記表示制御手段は、前記指定画像の表示位置と前記他の画像の表示位置との距離が予め定められた閾値以下である場合、前記画像束を表示する
請求項１〜６の何れか１項記載の表示制御装置。
【請求項８】
前記表示制御手段は、前記指定画像が予め定められた時間以上継続して指定している場合に、前記画像束を表示する
請求項１〜７の何れか１項記載の表示制御装置。
【請求項９】
前記表示制御手段は、予め定めたユーザ操作が行われた場合、前記画像束に含まれる前記他の画像を各々元の位置で表示する
請求項１〜８の何れか１項記載の表示制御装置。
【請求項１０】
前記表示制御手段は、前記指定画像が予め定められた時間以上継続して指定されている状態が解除された場合、前記画像束に含まれる前記他の画像を各々元の位置で表示する
請求項１〜９の何れか１項記載の表示制御装置。
【請求項１１】
請求項１〜１０の何れか１項記載の表示制御装置と、
前記表示制御装置によって制御される表示手段と、
を有する画像表示装置。
【請求項１２】
コンピュータを、請求項１〜１０の何れか１項記載の表示制御装置の表示制御手段として機能させるためのプログラム。
【手続補正２】
【補正対象書類名】明細書
【補正対象項目名】０００７
【補正方法】変更
【補正の内容】
【０００７】
上記目的を達成するために、請求項１に記載の表示制御装置は、複数の画像のうち、タッチパネルを介してユーザによって接触されている最中の単一の画像である指定画像が表示されている表示位置に、少なくとも前記複数の画像のうちの一つであって、ユーザによって接触されている最中ではない画像である他の画像を移動させ、前記指定画像と前記他の画像とを重ねた画像束を表示する表示制御手段を備える。
また、上記目的を達成するために、請求項２に記載の表示制御装置は、複数の画像のうち、タッチパネルを介してユーザによって接触されている最中の単一の画像である指定画像が表示されている表示位置に、少なくとも前記複数の画像のうちの一つであって、ユーザによって接触されている最中ではない画像である他の画像が近づき、前記指定画像と前記他の画像とを重ねた画像束を表示する表示制御手段を備える。
また、請求項３に記載の表示制御装置は、請求項１又は２記載の発明において、前記表示制御手段は、前記指定画像が表示されている表示位置に、前記他の画像を集約させ、前記指定画像と前記他の画像とを重ねた画像束を表示する。
【手続補正３】
【補正対象書類名】明細書
【補正対象項目名】０００８
【補正方法】変更
【補正の内容】
【０００８】
また、請求項４に記載の表示制御装置は、請求項１乃至３の何れか１項記載の発明において、前記表示制御手段は、タッチパネルを介してユーザによって接触されている位置を示す指定位置に基づいて、前記指定画像を移動させると共に、前記指定画像が表示されている表示位置に前記他の画像を移動させ、前記画像束を表示する。
【手続補正４】
【補正対象書類名】明細書
【補正対象項目名】０００９
【補正方法】変更
【補正の内容】
【０００９】
また、請求項５に記載の表示制御装置は、請求項１乃至４の何れか１項記載の発明において、前記他の画像は、予め定めたユーザ操作が行われた画像である。
【手続補正５】
【補正対象書類名】明細書
【補正対象項目名】００１０
【補正方法】変更
【補正の内容】
【００１０】
また、請求項６に記載の表示制御装置は、請求項１〜５の何れか１項記載の発明において、前記表示制御手段は、前記指定画像と前記他の画像に対して、予め定められたユーザ操作が行われた場合に、前記画像束を表示する。
【手続補正６】
【補正対象書類名】明細書
【補正対象項目名】００１１
【補正方法】変更
【補正の内容】
【００１１】
また、請求項７に記載の表示制御装置は、請求項１〜６の何れか１項記載の発明において、前記表示制御手段は、前記指定画像の表示位置と前記他の画像の表示位置との距離が予め定められた閾値以下である場合、前記画像束を表示する。
【手続補正７】
【補正対象書類名】明細書
【補正対象項目名】００１２
【補正方法】変更
【補正の内容】
【００１２】
また、請求項８に記載の表示制御装置は、請求項１〜６の何れか１項記載の発明において、前記表示制御手段は、前記指定画像が予め定められた時間以上継続して指定している場合に、前記画像束を表示する。
【手続補正８】
【補正対象書類名】明細書
【補正対象項目名】００１３
【補正方法】変更
【補正の内容】
【００１３】
また、請求項９に記載の表示制御装置は、請求項１〜８の何れか１項記載の発明において、前記表示制御手段は、予め定めたユーザ操作が行われた場合、前記画像束に含まれる前記他の画像を各々元の位置で表示する。
【手続補正９】
【補正対象書類名】明細書
【補正対象項目名】００１４
【補正方法】変更
【補正の内容】
【００１４】
さらに、請求項１０に記載の画像表示装置は、請求項１乃至９の何れか１項記載の発明において、前記表示制御手段は、前記指定画像が予め定められた時間以上継続して指定されている状態が解除された場合、前記画像束に含まれる前記他の画像を各々元の位置で表示する。
【手続補正１０】
【補正対象書類名】明細書
【補正対象項目名】００１５
【補正方法】変更
【補正の内容】
【００１５】
一方、上記目的を達成するために、請求項１１に記載の画像表示装置は、請求項１乃至１０の何れか１項記載の表示制御装置と、前記表示制御装置によって制御される表示手段と、を有している。

【手続補正１１】
【補正対象書類名】明細書
【補正対象項目名】００１６
【補正方法】変更
【補正の内容】
【００１６】
さらに、上記目的を達成するために、請求項１２に記載のプログラムは、コンピュータを、請求項１乃至１０の何れか１項記載の表示制御装置の表示制御手段として機能させるためのプログラムである。
【手続補正１２】
【補正対象書類名】明細書
【補正対象項目名】００１７
【補正方法】変更
【補正の内容】
【００１７】
請求項１、請求項１１及び請求項１２に記載の発明によれば、本発明を適用しない場合に比較して、より直感的な操作で表示中の複数の画像をまとめることができる。